(57)【要約】【課題】車載ＨＤＤに保存のコンテンツを、正当な車両所有者に限って、所有者が同一の他の車両のＨＤＤに転送することのできるコンテンツ転送システムおよびコンテンツ転送方法を提供する。【解決手段】記録媒体認証部１Ａが、格納された車両識別情報にもとづいて記録媒体１０が正当な車両所有者のものであると認証し、その記録媒体１０の使用時のみ、暗号化許可部２Ａが、ＨＤＤ１００に保存のコンテンツの暗号化を許可し、暗号化部３Ａが、記録媒体１０に格納の権利鍵を用いてコンテンツを暗号化し、転送元車両Ａの車両識別情報を付帯させた暗号化コンテンツを生成し、復号化許可部４Ｂが、転送装置２０により転送された暗号化コンテンツに付帯の車両識別情報と一致する車両識別情報が格納された記録媒体１０に限って、復号化への使用を許可し、復号化部５Ｂが、記録媒体１０に格納の権利鍵を用いてＨＤＤ２００に転送された暗号化コンテンツの復号化を行う。【選択図】図１
2009230480.tif 000002
【特許請求の範囲】
【請求項１】
それぞれの車両の正当な所有者に対してのみ交付され、コンテンツの暗号化鍵／復号化鍵として用いられる権利鍵およびそれぞれの車両の車両識別情報が格納された記録媒体と、
前記記録媒体に書き込まれた前記車両識別情報と自車の車両識別情報とを比較し、両者が一致すれば前記記録媒体が自車用の正当な記録媒体であると認証する、それぞれの車両に搭載される記録媒体認証手段と、
前記記録媒体認証手段により認証された前記記録媒体が使用されたときのみ自車に搭載されているＨＤＤに保存されているコンテンツの暗号化を許可する、それぞれの車両に搭載される暗号化許可手段と、
前記暗号化許可手段により暗号化が許可されたときに前記記録媒体に格納の前記権利鍵を用いて前記コンテンツを暗号化し、前記記録媒体に格納の車両識別情報を付帯させた暗号化コンテンツを生成する、それぞれの車両に搭載される暗号化手段と、
前記車両識別情報が付帯された前記暗号化コンテンツを他の車両に搭載されているＨＤＤに転送する転送手段と、
前記転送手段により転送された前記暗号化コンテンツに付帯された前記車両識別情報と一致する車両識別情報が格納された記録媒体に限って前記暗号化コンテンツの復号化への使用を許可する、それぞれの車両に搭載される復号化許可手段と、
前記復号化許可手段により使用が許可された記録媒体に格納の前記権利鍵を用いて前記暗号化コンテンツを復号化する、それぞれの車両に搭載される復号化手段と
を備えることを特徴とするコンテンツ転送システム。
【請求項２】
前記記録媒体が、セキュリティ保護機能付きの半導体記憶装置である
ことを特徴とする請求項１に記載のコンテンツ転送システム。
【請求項３】
前記記録媒体に所有者識別情報が記録され、
前記記録媒体認証手段および前記復号化許可手段が、それぞれ、前記所有者識別情報にもとづいて前記記録媒体の使用者が正当な所有者であることを認証する
ことを特徴とする請求項２に記載のコンテンツ転送システム。
【請求項４】
前記ＨＤＤに保存されているコンテンツが、コンテンツ記録媒体からリッピングされたデータである
ことを特徴とする請求項１乃至３のいずれか１項に記載のコンテンツ転送システム。
【請求項５】
転送元車両の正当な所有者が、コンテンツの暗号化鍵／復号化鍵として用いられる権利鍵および転送元車両の車両識別情報が格納された記録媒体の交付を受けるステップと、
前記記録媒体が前記転送元車両用の正当な記録媒体であるとの認証を前記転送元車両に搭載された記録媒体認証手段から受けるステップと、
前記記録媒体を用いて前記転送元車両に搭載されているＨＤＤに保存されているコンテンツを暗号化することへの許可を前記転送元車両に搭載された暗号化許可手段から受けるステップと、
前記転送元車両に搭載された暗号化手段が、前記記録媒体に格納の前記権利鍵を用いて前記コンテンツを暗号化し、前記記録媒体に格納の車両識別情報を付帯させた暗号化コンテンツを生成するステップと、
前記車両識別情報が付帯された前記暗号化コンテンツを転送手段により転送先車両に搭載されているＨＤＤに転送するステップと、
前記車両識別情報が付帯された前記暗号化コンテンツの復号化に前記転送元車両の車両識別情報が格納された前記記録媒体を使用することへの許可を前記転送先車両に搭載された復号化許可手段から受けるステップと、
前記転送先車両に搭載された復号化手段が、前記記録媒体に格納の前記権利鍵を用いて前記暗号化コンテンツを復号化するステップと
を備えることを特徴とするコンテンツ転送方法。
【発明の詳細な説明】
【技術分野】
【０００１】
本発明は、コンテンツ転送システムおよびコンテンツ転送方法に関する。
【背景技術】
【０００２】
近年、車両に設置されるナビゲーション装置やオーディオ装置に、ＨＤＤ（Hard  Disc  Drive）を搭載することが行われている。このような車載ＨＤＤの利用方法の１つとして、音楽ＣＤなどの記録媒体に記録されたコンテンツをリッピングし、ハードディスクに保存することが挙げられる。ここで、リッピングとは、音楽ＣＤなどに記録されているデジタル形式の音楽データを抽出し、パソコンで処理できるようなファイル形式に変換してハードディスクに保存することである。
【０００３】
このようなリッピングは、著作権法上、私的利用の範囲に限って認められている。そのため、通常、リッピングされた音楽データなどのコンテンツを他のＨＤＤなどへ転送することは禁止されている。
【０００４】
ところが、車両の場合、車両を買い替えることがあり、その場合、旧車両に搭載のＨＤＤと、新車両に搭載のＨＤＤは、別のＨＤＤであるが、その使用者は同一人であるため、旧車両のハードディスクに保存されているリッピングされたコンテンツを新車両のハードディスクへ転送したいとの要望がある。
【０００５】
そのため、従来、車載機に保有された音楽データのコンテンツを適法に別の車載機に転送することができるコンテンツ転送方法およびコンテンツ転送システムが提案されている（例えば、特許文献１参照。）。
【０００６】
この従来の転送方法では、コンテンツを保有している第１の車載機へ、第２の車載機において作成した公開鍵を転送する。第１の車載機では、その公開鍵を用いてコンテンツ復号化鍵を暗号化し、第２の車載機に転送する。第２の車載機では、その暗号化された復号化鍵を復号化する。これにより、第２の車載機において、第１の車載機から暗号化されて転送されたコンテンツを復号化することができる。
【０００７】
しかし、この従来の方法では、第２の車載機における公開鍵の作成が、その車両の所有者でなくても実行できるため、所有者が同一でない車両間でもハードディスクに保存されているリッピングされたコンテンツを転送することが可能、という問題があった。
【特許文献１】特開２００７−１９６８８号公報  （第７−８ページ、図２）
【発明の開示】
【発明が解決しようとする課題】
【０００８】
そこで、本発明の目的は、車載ＨＤＤに保存されているコンテンツを、正当な車両所有者に限って、自己所有の他の車両のＨＤＤに転送することのできるコンテンツ転送システムおよびコンテンツ転送方法を提供することにある。
【課題を解決するための手段】
【０００９】
本発明の一態様によれば、それぞれの車両の正当な所有者に対してのみ交付され、コンテンツの暗号化鍵／復号化鍵として用いられる権利鍵およびそれぞれの車両の車両識別情報が格納された記録媒体と、前記記録媒体に書き込まれた前記車両識別情報と自車の車両識別情報とを比較し、両者が一致すれば前記記録媒体が自車用の正当な記録媒体であると認証する、それぞれの車両に搭載される記録媒体認証手段と、前記記録媒体認証手段により認証された前記記録媒体が使用されたときのみ自車に搭載されているＨＤＤに保存されているコンテンツの暗号化を許可する、それぞれの車両に搭載される暗号化許可手段と、前記暗号化許可手段により暗号化が許可されたときに前記記録媒体に格納の前記権利鍵を用いて前記コンテンツを暗号化し、前記記録媒体に格納の車両識別情報を付帯させた暗号化コンテンツを生成する、それぞれの車両に搭載される暗号化手段と、前記車両識別情報が付帯された前記暗号化コンテンツを他の車両に搭載されているＨＤＤに転送する転送手段と、前記転送手段により転送された前記暗号化コンテンツに付帯された前記車両識別情報と一致する車両識別情報が格納された記録媒体に限って前記暗号化コンテンツの復号化への使用を許可する、それぞれの車両に搭載される復号化許可手段と、前記復号化許可手段により使用が許可された記録媒体に格納の前記権利鍵を用いて前記暗号化コンテンツを復号化する、それぞれの車両に搭載される復号化手段とを備えることを特徴とするコンテンツ転送システムが提供される。
【００１０】
また、本発明の別の一態様によれば、転送元車両の正当な所有者が、コンテンツの暗号化鍵／復号化鍵として用いられる権利鍵および転送元車両の車両識別情報が格納された記録媒体の交付を受けるステップと、前記記録媒体が前記転送元車両用の正当な記録媒体であるとの認証を前記転送元車両に搭載された記録媒体認証手段から受けるステップと、前記記録媒体を用いて前記転送元車両に搭載されているＨＤＤに保存されているコンテンツを暗号化することへの許可を前記転送元車両に搭載された暗号化許可手段から受けるステップと、前記転送元車両に搭載された暗号化手段が、前記記録媒体に格納の前記権利鍵を用いて前記コンテンツを暗号化し、前記記録媒体に格納の車両識別情報を付帯させた暗号化コンテンツを生成するステップと、前記車両識別情報が付帯された前記暗号化コンテンツを転送手段により転送先車両に搭載されているＨＤＤに転送するステップと、前記車両識別情報が付帯された前記暗号化コンテンツの復号化に前記転送元車両の車両識別情報が格納された前記記録媒体を使用することへの許可を前記転送先車両に搭載された復号化許可手段から受けるステップと、前記転送先車両に搭載された復号化手段が、前記記録媒体に格納の前記権利鍵を用いて前記暗号化コンテンツを復号化するステップとを備えることを特徴とするコンテンツ転送方法が提供される。
【発明の効果】
【００１１】
本発明によれば、車載ＨＤＤに保存されているコンテンツを、正当な車両所有者に限って、自己所有の他の車両のＨＤＤに転送することができる。
【発明を実施するための最良の形態】
【００１２】
以下、本発明の実施例を図面を参照して説明する。
【実施例１】
【００１３】
図１は、本発明の実施例１に係るコンテンツ転送システムの構成の例を示すブロック図である。本実施例では、所有者が同一である転送元車両Ａと転送先車両Ｂの間において、転送元車両Ａのハードディスク１００に保存されているコンテンツを転送先車両Ｂのハードディスク２００に転送する場合を例にとって示す。
【００１４】
本実施例の転送システムに含まれる各車両は、その所有者が同一であれば、各車両相互間で、内蔵ＨＤＤに保存されているコンテンツの転送を行うことができる。その際、転送元車両ではコンテンツの暗号化を行い、転送先車両では、暗号化されたコンテンツの復号化を行う。そのため、各車両には、暗号化処理に関わる機能ブロックと復号化処理に関わる機能ブロックが搭載されている。そこで、図１では、転送元車両Ａと転送先車両Ｂに搭載される同一機能の機能ブロックに対しては、同じ数字で始まる符号を付し、その機能が同一であることを示す。ただし、本実施例では、各機能ブロックは、いずれか１つの車両でしか使用されないので、以降の説明では、使用される車両における機能ブロックを例にとって、その機能ブロックの説明を行う。
【００１５】
本実施例では、例えば、車両購入時に、転送元車両Ａの正当な所有者に対して、記録媒体１０が交付されているものとする。記録媒体１０には、コンテンツの暗号化鍵／復号化鍵として用いられる権利鍵および転送元車両Ａの車両識別情報が格納されている。
【００１６】
権利鍵は、車両に搭載されているハードディスクからコンテンツを出力する権利を車両の所有者に付与するものである。この権利鍵を用いた暗号化を行わない限り、ハードディスクからのコンテンツの出力はブロックされる。なお、権利鍵が有償であれば、所有者はその対価を支払って記録媒体１０を購入するものとする。
【００１７】
所有者は、この記録媒体１０を各自の手元で保管、管理する。
【００１８】
転送元車両Ａは、転送元車両Ａに対して交付された記録媒体１０が使用されたときのみ、ハードディスク１００に格納されているコンテンツの暗号化を許可する。
【００１９】
本実施例のコンテンツ転送システムは、上述の記録媒体１０と、記録媒体１０に書き込まれた車両識別情報と自車の車両識別情報とを比較し、両者が一致すれば記録媒体１０が自車用の正当な記録媒体であると認証する転送元車両Ａの記録媒体認証部１Ａと、記録媒体認証部１Ａにより認証された記録媒体１０が使用されたときのみＨＤＤ１００に保存されているコンテンツの暗号化を許可する転送元車両Ａの暗号化許可部２Ａと、暗号化許可部２Ａにより暗号化が許可されたときに記録媒体１０に格納の権利鍵を用いてＨＤＤ１００に保存のコンテンツを暗号化し、転送元車両Ａの車両識別情報を付帯させた暗号化コンテンツを生成する転送元車両Ａの暗号化部３Ａと、転送元車両Ａの車両識別情報が付帯された暗号化コンテンツを転送先車両Ｂに搭載されているＨＤＤ２００に転送する転送装置２０と、転送装置２０により転送された暗号化コンテンツに付帯された転送元車両Ａの車両識別情報と一致する車両識別情報が格納された記録媒体１０に限って、ＨＤＤ２００に転送された暗号化コンテンツの復号化への使用を許可する転送先車両Ｂの復号化許可部４Ｂと、復号化許可部４Ｂにより使用が許可された記録媒体１０に格納の権利鍵を用いてＨＤＤ２００に転送された暗号化コンテンツの復号化を行う転送先車両Ｂの復号化部５Ｂと、を備える。
【００２０】
ここで、復号化許可部４Ｂにより復号化された復号化コンテンツは、ＨＤＤ２００に格納されるものとする。
【００２１】
記録媒体１０は、例えば、ＳＤカードなどのメモリカードやＵＳＢフラッシュメモリなどの半導体装置、ＣＤ−ＲＯＭなどの光ディスク、あるいは磁気ディスクなどであり、車載オーディオシステムやカーナビゲーションシステムなどに着脱可能に接続することができる。
【００２２】
記録媒体認証部１Ａは、記録媒体１０が車載オーディオシステムやカーナビゲーションシステムなどに接続されると、記録媒体１０に書き込まれた車両識別情報を読み取って、自車の車両識別情報との比較を行う。両方の車両識別情報が一致したときに、記録媒体認証部１Ａは、記録媒体１０が転送元車両Ａ用の正当な記録媒体である、と認証する。
【００２３】
暗号化許可部２Ａは、記録媒体認証部１Ａにより認証された記録媒体１０が使用されたときのみ、ＨＤＤ１００に保存されているコンテンツの暗号化を許可する。
【００２４】
転送元車両Ａの暗号化部３Ａは、暗号化許可部２Ａにより暗号化が許可されると、記録媒体１０に格納されている権利鍵を用いて、ＨＤＤ１００に保存のコンテンツを暗号化する。
【００２５】
このＨＤＤ１００に保存されているコンテンツに、音楽ＣＤなどのコンテンツ記録媒体からリッピングされたコンテンツが含まれる。
【００２６】
転送元車両Ａの暗号化部３Ａは、この暗号化されたデータに、暗号化に使用した記録媒体１０に格納されている転送元車両Ａの車両識別情報を付帯させて暗号化コンテンツを生成する。
【００２７】
車両識別情報を付帯させることにより、暗号化コンテンツがどの記録媒体を使用して暗号化されたものであるかを識別することができる。
【００２８】
転送装置２０は、転送元車両Ａの車両識別情報が付帯された暗号化コンテンツを転送元車両Ａから受け取り、転送先車両Ｂに搭載されているＨＤＤ２００に転送する。
【００２９】
これにより、転送元車両Ａの車両識別情報が付帯された暗号化コンテンツは、転送先車両Ｂに搭載されているＨＤＤ２００に格納される。
【００３０】
このＨＤＤ２００に格納された暗号化コンテンツを復号化するには、暗号化の際に使用した権利鍵が必要となる。すなわち、その権利鍵が格納された、転送元車両Ａ用の記録媒体１０が必要となる。
【００３１】
本実施例では、転送元車両Ａと転送先車両Ｂの所有者は同一であるので、転送先車両Ｂの所有者は、正当な所有者として、転送元車両Ａ用の記録媒体１０を手元に保管、管理している。
【００３２】
そこで、ＨＤＤ２００に格納された暗号化コンテンツを復号化するときは、まず、転送先車両Ｂの車載オーディオシステムやカーナビゲーションシステムなどに、記録媒体１０を接続する。
【００３３】
転送先車両Ｂの復号化許可部４Ｂは、記録媒体１０が接続されると、ＨＤＤ２００へ転送された暗号化コンテンツに付帯された車両識別情報と、記録媒体１０に格納された車両識別情報と、を比較し、両方の識別情報が一致すれば、ＨＤＤ２００へ転送された暗号化コンテンツの復号化に記録媒体１０を使用することを許可する。
【００３４】
転送先車両Ｂの復号化部５Ｂは、復号化許可部４Ｂにより記録媒体１０の使用が許可されると、記録媒体１０に格納された権利鍵を用いて、転送元車両ＡからＨＤＤ２００に転送された暗号化コンテンツの復号化を行う。復号化許可部４Ｂにより復号化された復号化コンテンツは、ＨＤＤ２００に格納される。
【００３５】
この復号化コンテンツは、転送元車両ＡのＨＤＤ１００に格納されているコンテンツと同じものである。すなわち、転送元車両ＡのＨＤＤ１００から転送先車両ＢのＨＤＤ２００へコンテンツの転送が行われたことになる。
【００３６】
次に、本実施例の転送システムにおけるコンテンツ転送方法について図２を用いて説明する。
【００３７】
図２は、本実施例におけるコンテンツ転送方法の処理の流れの例を示すフロー図である。
【００３８】
コンテンツ転送処理を行うにあたっては、まず、転送元車両Ａの所有者は、コンテンツの暗号化鍵／復号化鍵として用いられる権利鍵および転送元車両Ａの車両識別情報が格納されている記録媒体１０の交付を受けておく（ステップＳ０１）。
【００３９】
次に、転送元車両ＡＨＤＤ１００に保存のコンテンツの暗号化を行うために、転送元車両Ａの所有者は、記録媒体１０を転送元車両Ａの車載オーディオシステムやカーナビゲーションシステムなどに接続し、記録媒体１０が転送元車両Ａ用の正当な記録媒体であるとの認証を記録媒体認証部１Ａから受ける（ステップＳ０２）。
【００４０】
記録媒体認証部１Ａによる認証が得られると、記録媒体１０を用いて転送元車両Ａに搭載されているＨＤＤ１００に保存されているコンテンツを暗号化することに対して、暗号化許可部２Ａからの許可が得られる（ステップＳ０３）。
【００４１】
暗号化許可部２Ａからの許可が得られると、暗号化部３Ａが、記録媒体１０に格納の権利鍵を用いてＨＤＤ１００に保存されているコンテンツを暗号化し、記録媒体１０に格納の転送元車両Ａの車両識別情報を付帯させた暗号化コンテンツを生成する（ステップＳ０４）。
【００４２】
暗号化コンテンツの生成が終了すると、転送元車両Ａの所有者は、転送元車両Ａの車両識別情報を付帯させた暗号化コンテンツを、転送装置２０を用いて、自身が所有する転送先車両Ｂに搭載されているＨＤＤ２００に転送する（ステップＳ０５）。
【００４３】
転送が終了すると、次に、転送先車両Ｂにおける復号化処理が必要になる。そのとき、暗号化の際に使用した権利鍵が格納された転送元車両Ａ用の記録媒体１０が必要となる。転送元車両Ａの所有者でもある転送先車両Ｂの所有者は、この転送元車両Ａ用の記録媒体１０を手元に保管、管理している。
【００４４】
そこで、この所有者は、転送元車両Ａ用の記録媒体１０を転送先車両Ｂの車載オーディオシステムやカーナビゲーションシステムなどに接続し、転送元車両Ａから転送された暗号化コンテンツの復号化に、転送元車両Ａ用の記録媒体１０を使用することへの許可を復号化許可部４Ｂから受ける（ステップＳ０６）。
【００４５】
復号化許可部４Ｂが得られると、復号化部５Ｂが、記録媒体１０に格納された権利鍵を用いて、転送元車両ＡからＨＤＤ２００に転送された暗号化コンテンツの復号化を行う（ステップＳ０７）。
【００４６】
復号化許可部４Ｂにより復号化された復号化コンテンツはＨＤＤ２００に格納され、転送元車両Ａから転送先車両Ｂへのコンテンツ転送処理が終了する。
【００４７】
このような本実施例によれば、車載ＨＤＤに保存されたコンテンツの出力に必要な権利鍵が格納された記録媒体を、正当な車両の所有者に対してのみ交付するので、正当な車両所有者に限って、車載ＨＤＤに保存されているコンテンツを自己所有の他の車両のＨＤＤに転送することができる。
【００４８】
また、車載ＨＤＤとは別の記録媒体に権利鍵が格納され、この記録媒体が正当な車両所有者の手元で保管、管理されるので、車載ＨＤＤに保存されているコンテンツが、正当な車両所有者以外の他人によって出力されることを防止することができる。これにより、リッピングされて車載ＨＤＤに保存されているコンテンツの著作権の保護を図ることができる。
【実施例２】
【００４９】
ＩＤの付加などによりセキュリティ機能を高めたセキュリティ保護機能付きの半導体装置が、著作権保護などのために用いられる。最近では、指紋認証や指先静脈パターン認証などの生体認証機能により所有者を認証し、その所有者に限って使用を可能とする所有者認証機能付きの半導体記憶装置も実用化されている。
【００５０】
そこで、本実施例では、権利鍵を格納する記録媒体として、上述のような所有者認証機能を有するセキュリティ付き半導体記憶装置を用いる例を示す。
【００５１】
図３は、本発明の実施例２に係るコンテンツ転送システムの構成の例を示すブロック図である。
【００５２】
本実施例が実施例１と異なる点は、実施例１の記録媒体１０、記録媒体認証部１Ａおよび復号化許可部４Ｂの代わりに、セキュリティ保護機能付き半導体記憶装置３０、記録媒体認証部１１Ａおよび復号化許可部１４Ｂが、用いられる点である。
【００５３】
なお、実施例１と同一の機能のブロックは、図１と同一の符号を付し、ここではその詳細な説明を省略する。
【００５４】
セキュリティ保護機能付き半導体記憶装置３０には、実施例１で示された権利鍵および転送元車両Ａの車両識別情報に加えて、転送元車両Ａ所有者の識別情報が格納されている。
【００５５】
このセキュリティ保護機能付き半導体記憶装置３０を使用して転送元車両Ａにおける暗号化および転送先車両Ｂにおける復号化を実行する場合、その使用者は、自身の識別情報を入力する必要がある。
【００５６】
転送元車両Ａの記録媒体認証部１Ａは、まず、使用者の識別情報をセキュリティ保護機能付き半導体記憶装置３０に格納された転送元車両Ａ所有者の識別情報と比較する。両方の識別情報が一致すれば、セキュリティ保護機能付き半導体記憶装置３０の使用者が転送元車両Ａの所有者である、と認証する。
【００５７】
その後、転送元車両Ａの記録媒体認証部１Ａは、実施例１と同様、セキュリティ保護機能付き半導体記憶装置３０に格納された車両識別情報と自車の車両識別情報とを比較し、両方の車両識別情報が一致すれば、セキュリティ保護機能付き半導体記憶装置３０が転送元車両Ａ用の正当な記録媒体である、と認証する。
【００５８】
同様に、転送先車両Ｂの復号化許可部１４Ｂも、セキュリティ保護機能付き半導体記憶装置３０使用者の識別情報とセキュリティ保護機能付き半導体記憶装置３０に格納された転送元車両Ａ所有者の識別情報との比較試験、および、ＨＤＤ２００へ転送された暗号化コンテンツに付帯された車両識別情報とセキュリティ保護機能付き半導体記憶装置３０に格納された車両識別情報との比較試験を行なう。
【００５９】
復号化許可部１４Ｂは、この２つの比較試験に合格したときに、初めて、ＨＤＤ２００へ転送された暗号化コンテンツの復号化にセキュリティ保護機能付き半導体記憶装置３０を使用することを許可する。
【００６０】
このような本実施例によれば、権利鍵および転送元車両の車両識別情報が格納される記録媒体として、転送元車両所有者の識別情報が格納されたセキュリティ保護機能付き半導体記憶装置を用いることにより、転送元車両のＨＤＤに保存されているコンテンツの持ち出しに対するセキュリティを一層強化することができる。
【図面の簡単な説明】
【００６１】
【図１】本発明の実施例１に係るコンテンツ転送システムの構成の例を示すブロック図。
【図２】実施例１のコンテンツ転送システムにおけるコンテンツ転送方法の例を示すフロー図。
【図３】本発明の実施例２に係るコンテンツ転送システムの構成の例を示すブロック図。
【符号の説明】
【００６２】
１Ａ、１１Ａ、１Ｂ、１１Ｂ  記録媒体認証部
２Ａ、２Ｂ  暗号化許可部
３Ａ、３Ｂ  暗号化部
４Ａ、１４Ａ、４Ｂ、１４Ｂ  復号化許可部
５Ａ、５Ｂ  復号化部
１０  記録媒体
２０  転送装置
３０  セキュリティ保護機能付き半導体記憶装置
１００、２００  ＨＤＤ
【図１】
2009230480.tif 000003
【図２】
2009230480.tif 000004
【図３】
2009230480.tif 000005